(57)【特許請求の範囲】
【請求項１】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１’のＰＢＳ（偏光ビームスプリッタ）と、同第１’のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、同（Ｒ＋Ｇ）色光のＳ偏光光を反射してＰ偏光光を透過する第２’のＰＢＳと、同第２’のＰＢＳで反射した（Ｒ＋Ｇ）色光のＳ偏光光を入光し映像信号等で変調すると共に偏光面を９０度回転して（Ｒ＋Ｇ）色光のＰ偏光光を出光する第２の反射型液晶パネルと、同第２の反射型液晶パネルで変調され第２’のＰＢＳを透過する（Ｒ＋Ｇ）色光のＰ偏光光のＲ色光を吸収する吸収フィルタと、前記分光され第２’のＰＢＳを透過した（Ｒ＋Ｇ）色光のＰ偏光光の内Ｒ色光のＰ偏光光を反射して前記Ｂ色光と平行に折曲する第２のダイクロイックミラーと、同Ｂ色光と平行なＲ色光のＰ偏光光を透過し、Ｓ偏光光を反射する第３’のＰＢＳと、同第３’のＰＢＳを透過したＲ色光のＰ偏光光を入光し映像信号等で変調すると共に偏光面を９０度回転してＳ偏光光を出光する第３’の反射型液晶パネルと、前記第１’のＰＢＳ、第２’のＰＢＳと吸収フィルタおよび第３’のＰＢＳを介して出光される各色光を集光するクロスダイクロイックプリズムと、投射レンズとでなり、同クロスダイクロイックプリズムで集光した光を投射レンズを介してスクリーン上に投影するようにしたことを特徴とする反射型液晶プロジェクタ。
【請求項２】
前記第２’のＰＢＳとクロスダイクロイックプリズムとの間に設けた吸収フィルタの代わりに、前記第１のＰＢＳとクロスダイクロイックプリズムとの間に１／２位相差板を設けてなることを特徴とする請求項１記載の反射型液晶プロジェクタ。
【請求項３】
光源より発光されリフレクタで反射された光の光路に偏光面を１方に揃える偏光変換手段を配置し、偏光面を１方に揃えた光を分光手段によりＲ（赤），Ｇ（緑），Ｂ（青）の３色光に分光し、同各色光をＰＢＳ（偏光ビームスプリッタ）を介して各色光に対応する反射型液晶パネルに入光し、同反射型液晶パネルにおいて映像信号で変調され出光した各色光を同各ＰＢＳを介してクロスダイクロイックプリズムにそれぞれ入光し、同クロスダイクロイックプリズムで集光した光を、投射レンズを介してスクリーン上に投影する反射型液晶プロジェクタにおいて、
前記ＰＢＳに狭帯域特性を有する狭帯域ＰＢＳを使用し、同狭帯域ＰＢＳで所定の２色光に分光するようにしたことを特徴とする反射型液晶プロジェクタ。
【請求項４】
前記狭帯域ＰＢＳの帯域特性をＧ色光とＢ色光等波長の連続した２つの色光のＳ偏光を反射する特性としたことを特徴とする請求項３記載の反射型液晶プロジェクタ。
【請求項５】
前記狭帯域ＰＢＳの帯域特性をＲ色光とＢ色光のように、波長の離間した２つの色光のＳ偏光を反射する特性としたことを特徴とする請求項３記載の反射型液晶プロジェクタ。
【請求項６】
前記狭帯域ＰＢＳの帯域特性をＧ色光等１色光のＳ偏光のみを反射する特性としたことを特徴とする請求項３記載の反射型液晶プロジェクタ。
【請求項７】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳと、同第２のＰＢＳで反射したＧ色光のＳ偏光光を入光し映像信号等で変調すると共に偏光面を９０度回転してＰ偏光光を出光する第２の反射型液晶パネルと、同第２のＰＢＳを透過した色光の内、Ｒ色光を反射して前記Ｂ色光と平行にする第２のダイクロイックミラーと、同Ｒ色光のＰ偏光光を透過し、Ｓ偏光光を反射する第３’のＰＢＳと、同第３’のＰＢＳを透過したＲ色光のＰ偏光光を入光し映像信号等で変調すると共に偏光面を９０度回転してＳ偏光光を出光する第３’の反射型液晶パネルと、前記第１のＰＢＳ、第２のＰＢＳおよび第３’のＰＢＳを介して出光される各色光を集光するクロスダイクロイックプリズムと、投射レンズとでなり、同クロスダイクロイックプリズムで集光した光を投射レンズを介してスクリーン上に投影するようにしたことを特徴とする反射型液晶プロジェクタ。
【請求項８】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳと、同第２のＰＢＳで反射したＧ色光のＳ偏光光を入光し映像信号等で変調すると共に偏光面を９０度回転してＰ偏光光を出光する第２の反射型液晶パネルと、同第２のＰＢＳを透過した色光の内、Ｒ色光を反射して前記Ｂ色光と平行にする第２のダイクロイックミラーと、同Ｒ色光のＳ偏光光を反射し、Ｐ偏光光を透過する第３’のＰＢＳと、同第３’のＰＢＳを透過したＲ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第３の反射型液晶パネルと、前記第１のＰＢＳ、第２のＰＢＳおよび第３’のＰＢＳを介して出光される各色光を集光するクロスダイクロイックプリズムと、投射レンズとでなり、同クロスダイクロイックプリズムで集光した光を投射レンズを介してスクリーン上に投影するようにしたことを特徴とする反射型液晶プロジェクタ。
【請求項９】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳを透過したＢ色光のＰ偏光光を入光し映像信号等で変調すると共に偏光面を９０度回転してＳ偏光光を出光する第１’の反射型液晶パネルと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳと、同第２のＰＢＳで反射したＧ色光のＳ偏光光を入光し映像信号等で変調すると共に偏光面を９０度回転してＰ偏光光を出光する第２の反射型液晶パネルと、同第２のＰＢＳを透過した色光の内、Ｒ色光を反射して前記Ｂ色光と平行にする第２のダイクロイックミラーと、同Ｒ色光のＳ偏光光を反射し、Ｐ偏光光を透過する第３’のＰＢＳと、同第３’のＰＢＳを透過したＲ色光のＰ偏光光を入光し映像信号等で変調すると共に偏光面を９０度回転してＳ偏光光を出光する第３’の反射型液晶パネルと、前記第１のＰＢＳ、第２のＰＢＳおよび第３’のＰＢＳを介して出光される各色光を集光するクロスダイクロイックプリズムと、投射レンズとでなり、同クロスダイクロイックプリズムで集光した光を投射レンズを介してスクリーン上に投影するようにしたことを特徴とする反射型液晶プロジェクタ。
【請求項１０】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１’のＰＢＳと、同第１’のＰＢＳを透過したＢ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第１の反射型液晶パネルと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳと、同第２のＰＢＳで反射したＧ色光のＳ偏光光を入光し映像信号等で変調すると共に偏光面を９０度回転してＰ偏光光を出光する第２の反射型液晶パネルと、同第２のＰＢＳを透過した色光の内、Ｒ色光を反射して前記Ｂ色光と平行にする第２のダイクロイックミラーと、同Ｒ色光のＳ偏光光を反射し、Ｐ偏光光を透過する第３’のＰＢＳと、同第３’のＰＢＳを透過したＲ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第３の反射型液晶パネルと、前記第１’のＰＢＳ、第２のＰＢＳおよび第３’のＰＢＳを介して出光される各色光を集光するクロスダイクロイックプリズムと、投射レンズとでなり、同クロスダイクロイックプリズムで集光した光を投射レンズを介してスクリーン上に投影するようにしたことを特徴とする反射型液晶プロジェクタ。
【請求項１１】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳと、同第２’’のＰＢＳで反射したＲ色光のＳ偏光光を入光し映像信号等で変調すると共に偏光面を９０度回転してＰ偏光光を出光する第２の反射型液晶パネルと、同第２’’のＰＢＳを透過した色光の内、Ｇ色光を反射して前記Ｂ色光と平行にする第３のダイクロイックミラーと、同Ｇ色光のＳ偏光光を反射し、Ｐ偏光光を透過する第３’’のＰＢＳと、同第３’’のＰＢＳを透過したＧ色光のＰ偏光光を入光し映像信号等で変調すると共に偏光面を９０度回転してＳ偏光光を出光する第３’’の反射型液晶パネルと、前記第１のＰＢＳ、第２’’のＰＢＳおよび第３’’のＰＢＳを介して出光される各色光を集光するクロスダイクロイックプリズムと、投射レンズとでなり、同クロスダイクロイックプリズムで集光した光を投射レンズを介してスクリーン上に投影するようにしたことを特徴とする反射型液晶プロジェクタ。
【請求項１２】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳと、同第２’’のＰＢＳで反射したＲ色光のＳ偏光光を入光し映像信号等で変調すると共に偏光面を９０度回転してＰ偏光光を出光する第２’’の反射型液晶パネルと、同第２’’のＰＢＳを透過した色光の内、Ｇ色光を反射して前記Ｂ色光と平行にする第３のダイクロイックミラーと、同Ｇ色光のＳ偏光光を反射し、Ｐ偏光光を透過する第３’’のＰＢＳと、同第３’’のＰＢＳを透過したＲ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第３’’の反射型液晶パネルと、前記第１のＰＢＳ、第２’’のＰＢＳおよび第３’’のＰＢＳを介して出光される各色光を集光するクロスダイクロイックプリズムと、投射レンズとでなり、同クロスダイクロイックプリズムで集光した光を投射レンズを介してスクリーン上に投影するようにしたことを特徴とする反射型液晶プロジェクタ。
【請求項１３】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで透過したＢ色光のＰ偏光光を入光し映像信号等で変調すると共に偏光面を９０度回転してＳ偏光光を出光する第１’の反射型液晶パネルと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳと、同第２’’のＰＢＳで反射したＲ色光のＳ偏光光を入光し映像信号等で変調すると共に偏光面を９０度回転してＰ偏光光を出光する第２’’の反射型液晶パネルと、同第２’’のＰＢＳを透過した色光の内、Ｇ色光を反射して前記Ｂ色光と平行にする第３のダイクロイックミラーと、同Ｇ色光のＳ偏光光を反射し、Ｐ偏光光を透過する第３’’のＰＢＳと、同第３’’のＰＢＳを透過したＧ色光のＰ偏光光を入光し映像信号等で変調すると共に偏光面を９０度回転してＳ偏光光を出光する第３’の反射型液晶パネルと、前記第１のＰＢＳ、第２’’のＰＢＳおよび第３’’のＰＢＳを介して出光される各色光を集光するクロスダイクロイックプリズムと、投射レンズとでなり、同クロスダイクロイックプリズムで集光した光を投射レンズを介してスクリーン上に投影するようにしたことを特徴とする反射型液晶プロジェクタ。
【請求項１４】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳを透過したＢ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第１の反射型液晶パネルと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳと、同第２’’のＰＢＳで反射したＲ色光のＳ偏光光を入光し映像信号等で変調すると共に偏光面を９０度回転してＰ偏光光を出光する第２’’の反射型液晶パネルと、同第２’’のＰＢＳを透過した色光の内、Ｇ色光を反射して前記Ｂ色光と平行にする第３のダイクロイックミラーと、同Ｇ色光のＳ偏光光を反射し、Ｐ偏光光を透過する第３’’のＰＢＳと、同第３’’のＰＢＳを透過したＧ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第３’’の反射型液晶パネルと、前記第１のＰＢＳ、第２’’のＰＢＳおよび第３’’のＰＢＳを介して出光される各色光を集光するクロスダイクロイックプリズムと、投射レンズとでなり、同クロスダイクロイックプリズムで集光した光を投射レンズを介してスクリーン上に投影するようにしたことを特徴とする反射型液晶プロジェクタ。
【発明の詳細な説明】
【０００１】
【発明の属する技術分野】
本発明は、反射型液晶プロジェクタに係わり、特に、光路の共通化等により小型化したものに関する。
【０００２】
【従来の技術】
従来、反射型液晶プロジェクタは図１４に示すように、光源１より発光されリフレクタ２で反射された光を２個のダイクロイックミラー３ｒ，３ｇで（Ｒ，Ｇ，Ｂ）色光に分光すると共に全反射ミラー４を介して、同各色光を別々の３つの光路に導き、各色光に対応するＰＢＳ５ｂ’，５ｇ’，５ｒ’を介して、同色光に対応する反射型液晶パネル６ｂ，６ｇ，６ｒに各色光のＳ偏光光を入光し映像信号等で変調すると共に偏光面を９０度回転してＰ偏光光を出光し、同出光される各色光をクロスダイクロイックプリズム７で集光し、同集光した光を投射レンズ８を介してスクリーン２０上に投影するようにしていた。
しかし、この構成では各色光に対応する光路が３個必要な為、小型化が図れないという問題があった。
【０００３】
【発明が解決しようとする課題】
本発明は以上述べた問題点を解決し、光路の削減等により、小型化を図ることのできる反射型液晶プロジェクタを提供することを目的としている。
【０００４】
【課題を解決するための手段】
本発明は上述の課題を解決するため、第１の発明は、光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１’のＰＢＳと、同第１’のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、同（Ｒ＋Ｇ）色光のＳ偏光光を反射してＰ偏光光を透過する第２’のＰＢＳと、同第２’のＰＢＳで反射した（Ｒ＋Ｇ）色光のＳ偏光光を入光し映像信号等で変調すると共に偏光面を９０度回転して（Ｒ＋Ｇ）色光のＰ偏光光を出光する第２の反射型液晶パネルと、同第２の反射型液晶パネルで変調され第２’のＰＢＳを透過する（Ｒ＋Ｇ）色光のＰ偏光光のＲ色光を吸収する吸収フィルタと、前記分光され第２’のＰＢＳを透過した（Ｒ＋Ｇ）色光のＰ偏光光の内Ｒ色光のＰ偏光光を反射して前記Ｂ色光と平行に折曲する第２のダイクロイックミラーと、同Ｂ色光と平行なＲ色光のＰ偏光光を透過し、Ｓ偏光光を反射する第３’のＰＢＳと、同第３’のＰＢＳを透過したＲ色光のＰ偏光光を入光し映像信号等で変調すると共に偏光面を９０度回転してＳ偏光光を出光する第３’の反射型液晶パネルと、前記第１’のＰＢＳ、第２’のＰＢＳと吸収フィルタおよび第３’のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【０００５】
また、第２の発明は、光源より発光されリフレクタで反射された光を分光手段によりＲ（赤），Ｇ（緑），Ｂ（青）の３色光に分光し、同各色光をＰＢＳ（偏光ビームスプリッタ）を介して各色光に対応する反射型液晶パネルに入光し、同反射型液晶パネルにおいて映像信号で変調され出光した各色光を同各ＰＢＳを介してクロスダイクロイックプリズムにそれぞれ入光し、同クロスダイクロイックプリズムで集光した光を、投射レンズを介してスクリーン上に投影する反射型液晶プロジェクタにおいて、前記ＰＢＳが、狭帯域特性を有する狭帯域ＰＢＳで構成され、同狭帯域ＰＢＳで所定の２色光に分光するようにした反射型液晶プロジェクタとしている。
【０００６】
また、光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、同（Ｒ＋Ｇ）色光のＳ偏光光を反射してＰ偏光光を透過する第２’のＰＢＳと、同第２’のＰＢＳで反射した（Ｒ＋Ｇ）色光のＳ偏光光を入光し映像信号等で変調すると共に偏光面を９０度回転して（Ｒ＋Ｇ）色光のＰ偏光光を出光する第２の反射型液晶パネルと、同第２の反射型液晶パネルで変調され第２’のＰＢＳを透過する（Ｒ＋Ｇ）色光のＰ偏光光のＲ色光を吸収する吸収フィルタと、前記分光され第２’のＰＢＳを透過した（Ｒ＋Ｇ）色光のＰ偏光光の内Ｒ色光のＰ偏光光を反射して前記Ｂ色光と平行に折曲するダイクロイックミラーと、同Ｂ色光と平行なＲ色光のＰ偏光光を透過し、Ｓ偏光光を反射する第３のＰＢＳと、同第３のＰＢＳを透過したＲ色光のＰ偏光光を入光し映像信号等で変調すると共に偏光面を９０度回転してＳ偏光光を出光する第３’の反射型液晶パネルと、前記第１のＰＢＳ、第２のＰＢＳと吸収フィルタおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【０００７】
前記第２’のＰＢＳとクロスダイクロイックプリズムとの間に設けた吸収フィルタの代わりに、前記第１のＰＢＳとクロスダイクロイックプリズムとの間に１／２位相差板を設けてなる反射型液晶プロジェクタとしている。
【０００８】
前記狭帯域ＰＢＳの帯域特性をＧ色光とＢ色光等波長の連続した２つの色光のＳ偏光を反射する特性とした反射型液晶プロジェクタとしている。
【０００９】
前記狭帯域ＰＢＳの帯域特性をＲ色光とＢ色光の波長の離間した２つの色光のＳ偏光を反射する特性とした反射型液晶プロジェクタとしている。
【００１０】
前記狭帯域ＰＢＳの帯域特性をＧ色光等１色光のＳ偏光のみを反射する特性とした反射型液晶プロジェクタとしている。
【００１１】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳと、同第２のＰＢＳで反射したＧ色光のＳ偏光光を入光し映像信号等で変調すると共に偏光面を９０度回転してＰ偏光光を出光する第２の反射型液晶パネルと、同第２のＰＢＳを透過したＧ色光のＰ偏光光およびＲ色光を前記Ｂ色光と平行に折曲する全反射ミラーと、同Ｂ色光と平行なＲ色光のＳ偏光光を反射し、Ｇ色光およびＲ色光のＰ偏光光を透過する第３のＰＢＳと、同第３のＰＢＳで反射したＲ色光のＳ偏光光を入光し映像信号等で変調すると共に偏光面を９０度回転してＰ偏光光を出光する第３の反射型液晶パネルと、前記第１のＰＢＳ、第２のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００１２】
前記光源より発光されリフレクタで反射された光の光路に偏光面を１方に揃える第４のＰＢＳを配置した反射型液晶プロジェクタとしている。
【００１３】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳと、同第２のＰＢＳで反射したＧ色光のＳ偏光光を入光し映像信号等で変調すると共に偏光面を９０度回転してＰ偏光光を出光する第２の反射型液晶パネルと、同第２のＰＢＳを透過した色光の内、Ｒ色光を反射して前記Ｂ色光と平行にする第２のダイクロイックミラーと、同Ｒ色光のＰ偏光光を透過し、Ｓ偏光光を反射する第３のＰＢＳと、同第３のＰＢＳを透過したＲ色光のＰ偏光光を入光し映像信号等で変調すると共に偏光面を９０度回転してＳ偏光光を出光する第３’の反射型液晶パネルと、前記第１のＰＢＳ、第２のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００１４】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳと、同第２のＰＢＳで反射したＧ色光のＳ偏光光を入光し映像信号等で変調すると共に偏光面を９０度回転してＰ偏光光を出光する第２の反射型液晶パネルと、同第２のＰＢＳを透過した色光の内、Ｒ色光を反射して前記Ｂ色光と平行にする第２のダイクロイックミラーと、同Ｒ色光のＳ偏光光を反射し、Ｐ偏光光を透過する第３のＰＢＳと、同第３のＰＢＳを透過したＲ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第３の反射型液晶パネルと、前記第１のＰＢＳ、第２のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００１５】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳを透過したＢ色光のＰ偏光光を入光し映像信号等で変調すると共に偏光面を９０度回転してＳ偏光光を出光する第１’の反射型液晶パネルと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳと、同第２のＰＢＳで反射したＧ色光のＳ偏光光を入光し映像信号等で変調すると共に偏光面を９０度回転してＰ偏光光を出光する第２の反射型液晶パネルと、同第２のＰＢＳを透過した色光の内、Ｒ色光を反射して前記Ｂ色光と平行にする第２のダイクロイックミラーと、同Ｒ色光のＳ偏光光を反射し、Ｐ偏光光を透過する第３のＰＢＳと、同第３のＰＢＳを透過したＲ色光のＰ偏光光を入光し映像信号等で変調すると共に偏光面を９０度回転してＳ偏光光を出光する第３’の反射型液晶パネルと、前記第１のＰＢＳ、第２のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００１６】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳを透過したＢ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第１の反射型液晶パネルと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳと、同第２のＰＢＳで反射したＧ色光のＳ偏光光を入光し映像信号等で変調すると共に偏光面を９０度回転してＰ偏光光を出光する第２の反射型液晶パネルと、同第２のＰＢＳを透過した色光の内、Ｒ色光を反射して前記Ｂ色光と平行にする第２のダイクロイックミラーと、同Ｒ色光のＳ偏光光を反射し、Ｐ偏光光を透過する第３のＰＢＳと、同第３のＰＢＳを透過したＲ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第３の反射型液晶パネルと、前記第１のＰＢＳ、第２のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００１７】
前記第１のＰＢＳを前記第２のＰＢＳと同じ狭帯域特性のものを使用してなる反射型液晶プロジェクタとしている。
【００１８】
前記第１のダイクロイックミラーを全反射ミラーに交換すると共に、同全反射ミラーと前記第３のＰＢＳとの間に、Ｇ色光を吸収する吸収フィルタを設けた反射型液晶プロジェクタとしている。
【００１９】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳと、同第２’’のＰＢＳで反射したＲ色光のＳ偏光光を入光し映像信号等で変調すると共に偏光面を９０度回転してＰ偏光光を出光する第２の反射型液晶パネルと、同第２’’のＰＢＳを透過したＲ色光のＰ偏光光およびＧ色光を前記Ｂ色光と平行に折曲する全反射ミラーと、同Ｂ色光と平行なＧ色光のＳ偏光光を反射し、Ｒ色光およびＧ色光のＰ偏光光を透過する第３のＰＢＳと、同第３のＰＢＳで反射したＧ色光のＳ偏光光を入光し映像信号等で変調すると共に偏光面を９０度回転してＰ偏光光を出光する第３の反射型液晶パネルと、前記第１のＰＢＳ、第２’’のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００２０】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳと、同第２’’のＰＢＳで反射したＲ色光のＳ偏光光を入光し映像信号等で変調すると共に偏光面を９０度回転してＰ偏光光を出光する第２の反射型液晶パネルと、同第２’’のＰＢＳを透過した色光の内、Ｇ色光を反射して前記Ｂ色光と平行にする第３のダイクロイックミラーと、同Ｇ色光のＳ偏光光を反射し、Ｐ偏光光を透過する第３のＰＢＳと、同第３のＰＢＳを透過したＧ色光のＰ偏光光を入光し映像信号等で変調すると共に偏光面を９０度回転してＳ偏光光を出光する第３’の反射型液晶パネルと、前記第１のＰＢＳ、第２’’のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００２１】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで反射したＢ色光のＳ偏光光を入光し映像信号等で変調すると共に偏光面を９０度回転してＰ偏光光を出光する第１の反射型液晶パネルと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳと、同第２’’のＰＢＳで反射したＲ色光のＳ偏光光を入光し映像信号等で変調すると共に偏光面を９０度回転してＰ偏光光を出光する第２の反射型液晶パネルと、同第２’’のＰＢＳを透過した色光の内、Ｇ色光を反射して前記Ｂ色光と平行にする第３のダイクロイックミラーと、同Ｇ色光のＳ偏光光を反射し、Ｐ偏光光を透過する第３のＰＢＳと、同第３のＰＢＳを透過したＲ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第３の反射型液晶パネルと、前記第１のＰＢＳ、第２のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００２２】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳで透過したＢ色光のＰ偏光光を入光し映像信号等で変調すると共に偏光面を９０度回転してＳ偏光光を出光する第１’の反射型液晶パネルと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳと、同第２’’のＰＢＳで反射したＲ色光のＳ偏光光を入光し映像信号等で変調すると共に偏光面を９０度回転してＰ偏光光を出光する第２の反射型液晶パネルと、同第２のＰＢＳを透過した色光の内、Ｇ色光を反射して前記Ｂ色光と平行にする第３のダイクロイックミラーと、同Ｇ色光のＳ偏光光を反射し、Ｐ偏光光を透過する第３のＰＢＳと、同第３のＰＢＳを透過したＧ色光のＰ偏光光を入光し映像信号等で変調すると共に偏光面を９０度回転してＳ偏光光を出光する第３’の反射型液晶パネルと、前記第１のＰＢＳ、第２のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００２３】
光源より発光されリフレクタで反射された光のＢ色光を透過し、Ｇ色光およびＲ色光を反射して同Ｂ色光と（Ｒ＋Ｇ）色光に分光する第１のダイクロイックミラーと、同分光されたＢ色光のＳ偏光光を反射してＰ偏光光を透過する第１のＰＢＳと、同第１のＰＢＳを透過したＢ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第１の反射型液晶パネルと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳと、同第２’’のＰＢＳで反射したＲ色光のＳ偏光光を入光し映像信号等で変調すると共に偏光面を９０度回転してＰ偏光光を出光する第２の反射型液晶パネルと、同第２のＰＢＳを透過した色光の内、Ｇ色光を反射して前記Ｂ色光と平行にする第３のダイクロイックミラーと、同Ｇ色光のＳ偏光光を反射し、Ｐ偏光光を透過する第３のＰＢＳと、同第３のＰＢＳを透過したＧ色光のＰ偏光光を１／２位相シフトしてＳ偏光光に変換する１／２位相板と、同１／２位相板よりのＳ偏光光を入光し映像信号等で変調すると共に偏光面を９０度回転してＰ偏光光を出光する第３の反射型液晶パネルと、前記第１のＰＢＳ、第２のＰＢＳおよび第３のＰＢＳを介して出光される各色光を集光するクロスダイクロイックプリズムと、投射レンズとでなり、同クロスダイクロイックプリズムで集光した光を投射レンズを介してスクリーン上に投影するようにした反射型液晶プロジェクタとしている。
【００２４】
【発明の実施の形態】
従来光源より発光されリフレクタで反射された光を、いきなり３色光の光路に導いていたが、以上のように構成したので、本発明の反射型液晶プロジェクタにおいては、分光手段により、所定の２色光（Ｒ＋Ｇ）と１色光（Ｂ）とに分光し、同２色光を前記ＰＢＳに入光し、同ＰＢＳで反射するＳ偏光を一方の色光（Ｇ）に、Ｐ偏光を他方の色光（Ｒ）に使用するようにしたので１光路が削減され小型化を図ることが可能となる。
また、前記ＰＢＳが、狭帯域特性を有する狭帯域ＰＢＳで構成され、同狭帯域ＰＢＳで所定の２色光に分光するようにしたので、ＰＢＳがダイクロイックミラー等の分光手段と兼用でき、部品点数を削減して、コストを低減できる。
また、従来、クロスダイクロイックプリズムの両側に配置されるＰＢＳの外側に配置される反射型液晶パネルを前記投射レンズの方向に配置したので、横幅を狭くすることが可能となる。
【００２５】
【実施例】
以下、図面に基づいて本発明による反射型液晶プロジェクタを詳細に説明する。
図１、図２および図４〜図１３は本発明による反射型液晶プロジェクタの一実施例を示す光学系の要部構成図である。
図において、１はハロゲンランプ等の白色光源、２はリフレクタである。
３ｇｒは第１のダイクロイックミラーで、光源１より発光されリフレクタ２で反射された光のＢ色光を透過し、Ｇ色光およびＲ色光を反射して同Ｂ色光と（Ｒ＋Ｇ）色光に分光している。
３ｒは第２のダイクロイックミラーで、Ｒ色光以外を透過し、Ｒ色光を反射している。
３ｇは第３のダイクロイックミラーで、Ｇ色光以外を透過し、Ｇ色光を反射している。
４は全反射ミラーである。
５ｂは狭帯域特性を有する第１のＰＢＳで、前記第１のダイクロイックミラー３で分光されたＢ色光のＳ偏光光を反射してＰ偏光光を透過している。
５ｂ’は広帯域特性を有する第１’のＰＢＳで、前記第１のダイクロイックミラー３で分光されたＢ色光のＳ偏光光を反射してＰ偏光光を透過している。
５ｇは狭帯域特性を有する第２のＰＢＳで、前記第１のダイクロイックミラー３で分光された（Ｇ＋Ｒ）色光の内Ｇ色光のＳ偏光光を反射してＧ色光のＰ偏光光およびＲ色光を透過している。
５ｇ’は広帯域特性を有する第２’のＰＢＳで、前記第１のダイクロイックミラー３で分光された（Ｇ＋Ｒ）色光のＳ偏光光を反射してＰ偏光光を透過している。
５ｇ’’は狭帯域特性を有する第３’’のＰＢＳで、前記第３のダイクロイックミラー３ｇで分光されたＧ色光のＳ偏光光を反射してＧ色光のＰ偏光光を透過している。
５ｒは狭帯域特性を有する第３のＰＢＳで、前記第１のダイクロイックミラー３で分光され（Ｇ＋Ｒ）色光の内Ｒ色光のＳ偏光光を反射してＲ色光のＰ偏光光およびＧ色光を透過している。
５ｒ’は広帯域特性を有する第３’のＰＢＳで、前記第１のダイクロイックミラー３で分光され（Ｇ＋Ｒ）色光のＳ偏光光を反射してＰ偏光光を透過している。
５ｒ’’は狭帯域特性を有する第２’’のＰＢＳで、前記第１のダイクロイックミラー３ｇｒで分光された（Ｇ＋Ｒ）色光の内Ｒ色光のＳ偏光光を反射してＲ色光のＰ偏光光およびＧ色光を透過している。
６ｂは第１の反射型液晶パネルで、前記第１のＰＢＳ５ｂで反射したＢ色光のＳ偏光光を入光し映像信号等で変調すると共に偏光面を９０度回転してＰ偏光光を出光している。
６ｂ’は第１’の反射型液晶パネルで、前記第１のＰＢＳ５ｂを透過したＢ色光のＰ偏光光を入光し映像信号等で変調すると共に偏光面を９０度回転してＳ偏光光を出光している。
６ｇは第２の反射型液晶パネルで、前記第２のＰＢＳ５ｇで反射したＧ色光のＳ偏光光を入光し映像信号等で変調すると共に偏光面を９０度回転してＰ偏光光を出光している。
６ｇ’は第２’の反射型液晶パネルで、前記第２のＰＢＳ５ｇを透過したＧ色光のＰ偏光光を入光し映像信号等で変調すると共に偏光面を９０度回転してＳ偏光光を出光している。
６ｇ’’は第３’’の反射型液晶パネルで、前記第３’’のＰＢＳ５ｇ’’で反射したＧ色光のＳ偏光光を入光し映像信号等で変調すると共に偏光面を９０度回転してＰ偏光光を出光している。
６ｇ’’’は第３’’’の反射型液晶パネルで、前記第３’’のＰＢＳ５ｇ’’を透過したＧ色光のＰ偏光光を入光し映像信号等で変調すると共に偏光面を９０度回転してＳ偏光光を出光している。
６ｒは第３の反射型液晶パネルで、前記第３のＰＢＳ５ｒで反射したＲ色光のＳ偏光光を入光し映像信号等で変調すると共に偏光面を９０度回転してＰ偏光光を出光している。
６ｒ’は第３’の反射型液晶パネルで、前記第３のＰＢＳ５ｒを透過したＲ色光のＰ偏光光を入光し映像信号等で変調すると共に偏光面を９０度回転してＳ偏光光を出光している。
６ｒ’’は第２’’の反射型液晶パネルで、前記第２’’のＰＢＳ５ｒ’’で反射したＲ色光のＳ偏光光を入光し映像信号等で変調すると共に偏光面を９０度回転してＰ偏光光を出光している。
７はクロスダイクロイックプリズムで３方向より入光する各色光に対応する色光を反射して集光している。
８は投射レンズで、前記クロスダイクロイックプリズム７で集光した光をスクリーン２０に投影している。
９は吸収フィルタで、所定の色光を吸収して透過しないようにしている。
１０は偏光面を９０度位相シフトする１／２位相板である。
【００２６】
例えば、図１に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１’のＰＢＳ５ｂ’と、同第１’のＰＢＳ５ｂ’で反射したＢ色光のＳ偏光光を入光し映像信号等で変調すると共に偏光面を９０度回転してＰ偏光光を出光する第１の反射型液晶パネル６ｂと、前記分光された（Ｒ＋Ｇ）色光を入光し、同（Ｒ＋Ｇ）色光のＳ偏光光を反射してＰ偏光光を透過する第２’のＰＢＳ５ｇ’と、同第２’のＰＢＳ５ｇ’で反射した（Ｒ＋Ｇ）色光のＳ偏光光を入光し映像信号等で変調すると共に偏光面を９０度回転して（Ｒ＋Ｇ）色光のＰ偏光光を出光する第２の反射型液晶パネル６ｇと、同第２の反射型液晶パネル６ｇで変調され第２’のＰＢＳ５ｇ’を透過する（Ｒ＋Ｇ）色光のＰ偏光光のＲ色光を吸収する吸収フィルタ９と、前記分光され第２’のＰＢＳ５ｇ’を透過した（Ｒ＋Ｇ）色光のＰ偏光光の内Ｒ色光のＰ偏光光を反射して前記Ｂ色光と平行に折曲する第２のダイクロイックミラー３ｒと、同Ｂ色光と平行なＲ色光のＰ偏光光を透過し、Ｓ偏光光を反射する第３’のＰＢＳ５ｒ’と、同第３’のＰＢＳ５ｒ’を透過したＲ色光のＰ偏光光を入光し映像信号等で変調すると共に偏光面を９０度回転してＳ偏光光を出光する第３’の反射型液晶パネル６ｒ’と、前記第１’のＰＢＳ５ｂ’、第２’のＰＢＳ５ｇ’と吸収フィルタ９および第３’のＰＢＳ５ｒ’を介して出光される各色光を集光するクロスダイクロイックプリズム７と、投射レンズ８とでなり、同クロスダイクロイックプリズム７で集光した光を投射レンズ８を介してスクリーン２０上に投影するようにしている。
【００２７】
また、図１の点線で示すように、第２’のＰＢＳ５ｇ’とクロスダイクロイックプリズム７との間に設けた吸収フィルタ９の代わりに、前記第１’のＰＢＳ５ｂ’とクロスダイクロイックプリズム７との間に１／２位相差板１０を設けるようにしてもよい。
【００２８】
また、図２に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１のＰＢＳ５ｂと、同第１のＰＢＳ５ｂで反射したＢ色光のＳ偏光光を入光し映像信号等で変調すると共に偏光面を９０度回転してＰ偏光光を出光する第１の反射型液晶パネル６ｂと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳ５ｇと、同第２のＰＢＳ５ｇで反射したＧ色光のＳ偏光光を入光し映像信号等で変調すると共に偏光面を９０度回転してＰ偏光光を出光する第２の反射型液晶パネル６ｇと、同第２のＰＢＳ５ｇを透過したＧ色光のＰ偏光光およびＲ色光を前記Ｂ色光と平行に折曲する全反射ミラー４と、同Ｂ色光と平行なＲ色光のＳ偏光光を反射し、Ｇ色光およびＲ色光のＰ偏光光を透過する第３’のＰＢＳ５ｒ’と、同第３’のＰＢＳ５ｒ’で反射したＲ色光のＳ偏光光を入光し映像信号等で変調すると共に偏光面を９０度回転してＰ偏光光を出光する第３の反射型液晶パネル６ｒと、前記第１のＰＢＳ５ｂ、第２のＰＢＳ５ｇおよび第３’のＰＢＳ５ｒ’を介して出光される各色光を集光するクロスダイクロイックプリズム７と、投射レンズ８とでなり、同クロスダイクロイックプリズム７で集光した光を投射レンズ８を介してスクリーン２０上に投影するようにしている。
この第１のＰＢＳ５ｂおよび、第２のＰＢＳ５ｇは、例えば図３−（Ａ）に示すように、Ｒ色光を透過し、Ｇ色光およびＢ色光のように、波長の連続した２つの色光のＳ偏光光を反射する狭帯域特性を有している。
【００２９】
また、図２の点線で示すように、光源１より発光されリフレクタ２で反射された光の光路に偏光面をＳまたはＰに揃える第４のＰＢＳ５ｓｐを設け、予め偏光面を揃えた白色光を分光することにより、光の利用効率を上げるようにしてもよい。
【００３０】
図４に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１のＰＢＳ５ｂと、同第１のＰＢＳで反射したＢ色光のＳ偏光光を入光し映像信号等で変調すると共に偏光面を９０度回転してＰ偏光光を出光する第１の反射型液晶パネル６ｂと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳ５ｇと、同第２のＰＢＳ５ｇで反射したＧ色光のＳ偏光光を入光し映像信号等で変調すると共に偏光面を９０度回転してＰ偏光光を出光する第２の反射型液晶パネル６ｇと、同第２のＰＢＳ５ｇを透過した色光の内、Ｒ色光を反射して前記Ｂ色光と平行にする第２のダイクロイックミラー３ｒと、同Ｒ色光のＰ偏光光を透過し、Ｓ偏光光を反射する第３’のＰＢＳ５ｒ’と、同第３’のＰＢＳ５ｒ’を透過したＲ色光のＰ偏光光を入光し映像信号等で変調すると共に偏光面を９０度回転してＳ偏光光を出光する第３’の反射型液晶パネル６ｒ’と、前記第１のＰＢＳ５ｂ、第２のＰＢＳ５ｇおよび第３’のＰＢＳ６ｒを介して出光される各色光を集光するクロスダイクロイックプリズム７と、投射レンズ８とでなり、同クロスダイクロイックプリズム７で集光した光を投射レンズ８を介してスクリーン２０上に投影するようにしている。
【００３１】
図５に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１のＰＢＳ５ｂと、同第１のＰＢＳ５ｂで反射したＢ色光のＳ偏光光を入光し映像信号等で変調すると共に偏光面を９０度回転してＰ偏光光を出光する第１の反射型液晶パネル６ｂと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳ５ｇと、同第２のＰＢＳ５ｇで反射したＧ色光のＳ偏光光を入光し映像信号等で変調すると共に偏光面を９０度回転してＰ偏光光を出光する第２の反射型液晶パネル６ｇと、同第２のＰＢＳ５ｇを透過した色光の内、Ｒ色光を反射して前記Ｂ色光と平行にする第２のダイクロイックミラー３ｒと、同Ｒ色光のＳ偏光光を反射し、Ｐ偏光光を透過する第３’のＰＢＳ５ｒ’と、同第３’のＰＢＳ５ｒ’を透過したＲ色光のＰ偏光光を１／２位相シフトしてＳ偏光光に変換する１／２位相板１０と、同１／２位相板１０よりのＳ偏光光を入光し映像信号等で変調すると共に偏光面を９０度回転してＰ偏光光を出光する第３の反射型液晶パネル６ｒと、前記第１のＰＢＳ５ｂ、第２のＰＢＳ５ｇおよび第３’のＰＢＳ５ｒ’を介して出光される各色光を集光するクロスダイクロイックプリズム７と、投射レンズ８とでなり、同クロスダイクロイックプリズム７で集光した光を投射レンズ８を介してスクリーン２０上に投影するようにしている。
【００３２】
図６に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１のＰＢＳ５ｂと、同第１のＰＢＳ５ｂを透過したＢ色光のＰ偏光光を入光し映像信号等で変調すると共に偏光面を９０度回転してＳ偏光光を出光する第１’の反射型液晶パネル６ｂ’と、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳ５ｇと、同第２のＰＢＳ５ｇで反射したＧ色光のＳ偏光光を入光し映像信号等で変調すると共に偏光面を９０度回転してＰ偏光光を出光する第２の反射型液晶パネル６ｇと、同第２のＰＢＳ５ｇを透過した色光の内、Ｒ色光を反射して前記Ｂ色光と平行にする第２のダイクロイックミラー３ｒと、同Ｒ色光のＳ偏光光を反射し、Ｐ偏光光を透過する第３’のＰＢＳ５ｒ’と、同第３のＰＢＳ５ｒ’を透過したＲ色光のＰ偏光光を入光し映像信号等で変調すると共に偏光面を９０度回転してＳ偏光光を出光する第３’の反射型液晶パネル６ｒ’と、前記第１のＰＢＳ５ｂ、第２のＰＢＳ５ｇおよび第３’のＰＢＳ６ｒ’を介して出光される各色光を集光するクロスダイクロイックプリズム７と、投射レンズ８とでなり、同クロスダイクロイックプリズム７で集光した光を投射レンズ８を介してスクリーン２０上に投影するようにしている。
【００３３】
図７に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１’のＰＢＳ５ｂ’と、同第１’のＰＢＳ５ｂ’を透過したＢ色光のＰ偏光光を１／２位相シフトしてＳ偏光光に変換する１／２位相板１０と、同１／２位相板１０よりのＳ偏光光を入光し映像信号等で変調すると共に偏光面を９０度回転してＰ偏光光を出光する第１の反射型液晶パネル６ｂと、前記分光された（Ｒ＋Ｇ）色光を入光し、Ｇ色光のＳ偏光光を反射して同Ｇ色光のＰ偏光光およびＲ色光を透過する狭帯域特性を有する第２のＰＢＳ５ｇと、同第２のＰＢＳ５ｇで反射したＧ色光のＳ偏光光を入光し映像信号等で変調すると共に偏光面を９０度回転してＰ偏光光を出光する第２の反射型液晶パネル６ｇと、同第２のＰＢＳ５ｇを透過した色光の内、Ｒ色光を反射して前記Ｂ色光と平行にする第２のダイクロイックミラー３ｒと、同Ｒ色光のＳ偏光光を反射し、Ｐ偏光光を透過する第３’のＰＢＳ５ｒ’と、同第３’のＰＢＳ５ｒ’を透過したＲ色光のＰ偏光光を１／２位相シフトしてＳ偏光光に変換する１／２位相板１０と、同１／２位相板１０よりのＳ偏光光を入光し映像信号等で変調すると共に偏光面を９０度回転してＰ偏光光を出光する第３の反射型液晶パネル６ｒと、前記第１’のＰＢＳ５ｂ’、第２のＰＢＳ５ｇおよび第３’のＰＢＳ５ｒ’を介して出光される各色光を集光するクロスダイクロイックプリズム７と、投射レンズ８とでなり、同クロスダイクロイックプリズム７で集光した光を投射レンズ８を介してスクリーン２０上に投影するようにしている。
【００３４】
また、前記第１’のＰＢＳ５ｂ’を狭帯域特性を有する第２のＰＢＳ５ｇと同じ第１のＰＢＳ５ｂとしてもよい。
【００３５】
また、図７等に示すＲ色光を反射する第２のダイクロイックミラー３ｒを、図８に示すように、全反射ミラー４と吸収フィルタ９とに置き換えてもよい。
【００３６】
図９に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１のＰＢＳ５ｂと、同第１のＰＢＳ５ｂで反射したＢ色光のＳ偏光光を入光し映像信号等で変調すると共に偏光面を９０度回転してＰ偏光光を出光する第１の反射型液晶パネル６ｂと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳ５ｒ’’と、同第２’’のＰＢＳＰＢＳ５ｒ’’で反射したＲ色光のＳ偏光光を入光し映像信号等で変調すると共に偏光面を９０度回転してＰ偏光光を出光する第２’’の反射型液晶パネル６ｒ’’と、同第２’’のＰＢＳ５ｒ’’を透過したＲ色光のＰ偏光光およびＧ色光を前記Ｂ色光と平行に折曲する全反射ミラー４と、同Ｂ色光と平行なＧ色光のＳ偏光光を反射し、Ｒ色光およびＧ色光のＰ偏光光を透過する第３’’のＰＢＳ５ｇ’’と、同第３’’のＰＢＳ５ｇ’’で反射したＧ色光のＳ偏光光を入光し映像信号等で変調すると共に偏光面を９０度回転してＰ偏光光を出光する第３’’の反射型液晶パネル６ｇ’’と、前記第１のＰＢＳ、第２’’のＰＢＳおよび第３’’のＰＢＳを介して出光される各色光を集光するクロスダイクロイックプリズム７と、投射レンズ８とでなり、同クロスダイクロイックプリズム７で集光した光を投射レンズ８を介してスクリーン２０上に投影するようにしている。
そして、前記第２’’のＰＢＳ５ｒ’’の帯域特性は、図３−（Ｂ）に示すように、Ｒ色光とＢ色光のように、波長の離間した２つの色光のＳ偏光を反射する特性としている。
【００３７】
また、図１０に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１のＰＢＳ５ｂと、同第１のＰＢＳ５ｂで反射したＢ色光のＳ偏光光を入光し映像信号等で変調すると共に偏光面を９０度回転してＰ偏光光を出光する第１の反射型液晶パネル６ｂと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳ５ｒ’’と、同第２’’のＰＢＳ５ｒ’’で反射したＲ色光のＳ偏光光を入光し映像信号等で変調すると共に偏光面を９０度回転してＰ偏光光を出光する第２’’の反射型液晶パネル６ｒ’’と、同第２’’のＰＢＳ５ｒ’’を透過した色光の内、Ｇ色光を反射して前記Ｂ色光と平行にする第３のダイクロイックミラー３ｇと、同Ｇ色光のＳ偏光光を反射し、Ｐ偏光光を透過する第３’’のＰＢＳ５ｇ’’と、同第３’’のＰＢＳ５ｇ’’を透過したＧ色光のＰ偏光光を入光し映像信号等で変調すると共に偏光面を９０度回転してＳ偏光光を出光する第３’’’の反射型液晶パネル６ｇ’’’と、前記第１のＰＢＳ５ｂ、第２’’のＰＢＳ５ｒ’’および第３’’のＰＢＳ５ｇ’’を介して出光される各色光を集光するクロスダイクロイックプリズム７と、投射レンズ８とでなり、同クロスダイクロイックプリズム７で集光した光を投射レンズ８を介してスクリーン２０上に投影するようにしている。
【００３８】
図１１に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１のＰＢＳ５ｂと、同第１のＰＢＳ５ｂで反射したＢ色光のＳ偏光光を入光し映像信号等で変調すると共に偏光面を９０度回転してＰ偏光光を出光する第１の反射型液晶パネル６ｂと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳ５ｒ’’と、同第２’’のＰＢＳ５ｒ’’で反射したＲ色光のＳ偏光光を入光し映像信号等で変調すると共に偏光面を９０度回転してＰ偏光光を出光する第２’’の反射型液晶パネル６ｒ’’と、同第２’’のＰＢＳ５ｒ’’を透過した色光の内、Ｇ色光を反射して前記Ｂ色光と平行にする第３のダイクロイックミラー３ｇと、同Ｇ色光のＳ偏光光を反射し、Ｐ偏光光を透過する第３’’のＰＢＳ５ｇ’’と、同第３’’のＰＢＳ５ｇ’’を透過したＲ色光のＰ偏光光を１／２位相シフトしてＳ偏光光に変換する１／２位相板１０と、同１／２位相板１０よりのＳ偏光光を入光し映像信号等で変調すると共に偏光面を９０度回転してＰ偏光光を出光する第３’’の反射型液晶パネル６ｇ’’と、前記第１のＰＢＳ５ｂ、第２’’のＰＢＳ５ｒ’’および第３’’のＰＢＳ５ｇ’’を介して出光される各色光を集光するクロスダイクロイックプリズム７と、投射レンズ８とでなり、同クロスダイクロイックプリズム７で集光した光を投射レンズ８を介してスクリーン２０上に投影するようにしている。
【００３９】
図１２に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１のＰＢＳ５ｂと、同第１のＰＢＳ５ｂで透過したＢ色光のＰ偏光光を入光し映像信号等で変調すると共に偏光面を９０度回転してＳ偏光光を出光する第１’の反射型液晶パネル６ｂ’と、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳ５ｒ’’と、同第２’’のＰＢＳ５ｒ’’で反射したＲ色光のＳ偏光光を入光し映像信号等で変調すると共に偏光面を９０度回転してＰ偏光光を出光する第２’’の反射型液晶パネル６ｒ’’と、同第２’’のＰＢＳ５ｒ’’を透過した色光の内、Ｇ色光を反射して前記Ｂ色光と平行にする第３のダイクロイックミラー３ｇと、同Ｇ色光のＳ偏光光を反射し、Ｐ偏光光を透過する第３’’のＰＢＳ５ｇ’’と、同第３’’のＰＢＳ５ｇ’’を透過したＧ色光のＰ偏光光を入光し映像信号等で変調すると共に偏光面を９０度回転してＳ偏光光を出光する第３’’’の反射型液晶パネル６ｇ’’’と、前記第１のＰＢＳ５ｂ、第２’’のＰＢＳ５ｒ’’および第３’’のＰＢＳ５ｇ’’を介して出光される各色光を集光するクロスダイクロイックプリズム７と、投射レンズ８とでなり、同クロスダイクロイックプリズム７で集光した光を投射レンズ８を介してスクリーン２０上に投影するようにしている。
【００４０】
図１３に示すように、光源１より発光されリフレクタ２で反射された光のＢ色光を透過し、Ｇ色光およびＲ色光を反射して同Ｂ色光と（Ｒ＋Ｇ）色光に分光する第１のダイクロイックミラー３ｇｒと、同分光されたＢ色光のＳ偏光光を反射してＰ偏光光を透過する第１のＰＢＳ５ｂと、同第１のＰＢＳ５ｂを透過したＢ色光のＰ偏光光を１／２位相シフトしてＳ偏光光に変換する１／２位相板１０と、同１／２位相板１０よりのＳ偏光光を入光し映像信号等で変調すると共に偏光面を９０度回転してＰ偏光光を出光する第１の反射型液晶パネル６ｂと、前記分光された（Ｒ＋Ｇ）色光を入光し、Ｒ色光のＳ偏光光を反射して同Ｒ色光のＰ偏光光およびＧ色光を透過する狭帯域特性を有する第２’’のＰＢＳ５ｒ’’と、同第２’’のＰＢＳ５ｒ’’で反射したＲ色光のＳ偏光光を入光し映像信号等で変調すると共に偏光面を９０度回転してＰ偏光光を出光する第２’’の反射型液晶パネル６ｒ’’と、同第２’’のＰＢＳ５ｒ’’を透過した色光の内、Ｇ色光を反射して前記Ｂ色光と平行にする第３のダイクロイックミラー３ｇと、同Ｇ色光のＳ偏光光を反射し、Ｐ偏光光を透過する第３’’のＰＢＳ５ｇ’’と、同第３’’のＰＢＳ５ｇ’’を透過したＧ色光のＰ偏光光を１／２位相シフトしてＳ偏光光に変換する１／２位相板１０と、同１／２位相板１０よりのＳ偏光光を入光し映像信号等で変調すると共に偏光面を９０度回転してＰ偏光光を出光する第３’’の反射型液晶パネル６ｇ’’と、前記第１のＰＢＳ５ｂ、第２’’のＰＢＳ５ｒ’’および第３’’のＰＢＳ５ｇ’’を介して出光される各色光を集光するクロスダイクロイックプリズム７と、投射レンズ８とでなり、同クロスダイクロイックプリズム７で集光した光を投射レンズ８を介してスクリーン２０上に投影するようにしている。
【００４１】
【発明の効果】
以上説明したように、本発明による反射型液晶プロジェクタによれば、分光手段により、所定の２色光（Ｒ＋Ｇ）と１色光（Ｂ）とに分光し、同２色光を前記ＰＢＳに入光し、同ＰＢＳで反射するＳ偏光を一方の色光（Ｇ）に、Ｐ偏光を他方の色光（Ｒ）に使用するようにしたので１光路が削減され小型化を図ることができる。
また、前記ＰＢＳが、狭帯域特性を有する狭帯域ＰＢＳで構成され、同狭帯域ＰＢＳで所定の２色光に分光するようにしたので、ＰＢＳがダイクロイックミラー等の分光手段と兼用でき、部品点数を削減して、コストを低減できる。
また、従来、クロスダイクロイックプリズムの両側に配置されるＰＢＳの外側に配置される反射型液晶パネルを前記投射レンズの方向に配置したので、横幅を狭くすることが可能となる。
【図面の簡単な説明】
【図１】本発明による反射型液晶プロジェクタの一実施例を示す光学系の要部構成図である。
【図２】本発明による反射型液晶プロジェクタの他の実施例を示す光学系の要部構成図である。
【図３】本発明による反射型液晶プロジェクタに使用するＰＢＳの特性を説明する帯域特性図である。
【図４】本発明による反射型液晶プロジェクタの他の実施例を示す光学系の要部構成図である。
【図５】本発明による反射型液晶プロジェクタの他の実施例を示す光学系の要部構成図である。
【図６】本発明による反射型液晶プロジェクタの他の実施例を示す光学系の要部構成図である。
【図７】本発明による反射型液晶プロジェクタの他の実施例を示す光学系の要部構成図である。
【図８】本発明による反射型液晶プロジェクタの他の実施例を示す光学系の要部構成図である。
【図９】本発明による反射型液晶プロジェクタの他の実施例を示す光学系の要部構成図である。
【図１０】本発明による反射型液晶プロジェクタの他の実施例を示す光学系の要部構成図である。
【図１１】本発明による反射型液晶プロジェクタの他の実施例を示す光学系の要部構成図である。
【図１２】本発明による反射型液晶プロジェクタの他の実施例を示す光学系の要部構成図である。
【図１３】本発明による反射型液晶プロジェクタの他の実施例を示す光学系の要部構成図である。
【図１４】従来の反射型液晶プロジェクタを示す光学系の要部構成図である。
【符号の説明】
１  光源
２  リフレクタ
３ｇｒ  第１のダイクロイックミラー
３ｒ  第２のダイクロイックミラー
３ｇ  第３のダイクロイックミラー
４  全反射ミラー
５ｂ  第１のＰＢＳ（狭帯域ＰＢＳ）
５ｂ’  第１’のＰＢＳ（広帯域ＰＢＳ）
５ｇ  第２のＰＢＳ（狭帯域ＰＢＳ）
５ｇ’  第２’のＰＢＳ（広帯域ＰＢＳ）
５ｇ’’  第３’’のＰＢＳ（狭帯域ＰＢＳ）
５ｒ  第３のＰＢＳ（狭帯域ＰＢＳ）
５ｒ’  第３’のＰＢＳ（広帯域ＰＢＳ）
５ｒ’’  第２’’のＰＢＳ（狭帯域ＰＢＳ）
６ｂ  第１の反射型液晶パネル
６ｂ’  第１’の反射型液晶パネル
６ｇ  第２の反射型液晶パネル
６ｇ’  第２’の反射型液晶パネル
６ｇ’’  第３’’の反射型液晶パネル
６ｇ’’’  第３’’’の反射型液晶パネル
６ｒ  第３の反射型液晶パネル
６ｒ’  第３’の反射型液晶パネル
６ｒ’’  第２’’の反射型液晶パネル
７  クロスダイクロイックプリズム
８  投射レンズ
９  吸収フィルタ
１０  １／２位相板
２０  スクリーン
【図１】
0003785799.tif 000002
【図２】
0003785799.tif 000003
【図３】
0003785799.tif 000004
【図４】
0003785799.tif 000005
【図５】
0003785799.tif 000006
【図６】
0003785799.tif 000007
【図７】
0003785799.tif 000008
【図８】
0003785799.tif 000009
【図９】
0003785799.tif 000010
【図１０】
0003785799.tif 000011
【図１１】
0003785799.tif 000012
【図１２】
0003785799.tif 000013
【図１４】
0003785799.tif 000014
【図１３】
0003785799.tif 000015